【手続補正書】
【提出日】平成30年6月1日(2018.6.1)
【手続補正１】
【補正対象書類名】特許請求の範囲
【補正対象項目名】全文
【補正方法】変更
【補正の内容】
【特許請求の範囲】
【請求項１】
第１プロジェクターと、
第２プロジェクターと
を有し、
前記第１プロジェクターは、
第１領域に画像を投写する第１投写手段と、
指示体の軌跡に応じて線を描画する際の当該線の属性である第１属性を記憶する第１記憶手段と、
前記第１領域における前記指示体の軌跡に応じた線であって前記第１属性で描画された線の画像を前記第１投写手段に投写させる第１制御手段と
を有し、
前記第２プロジェクターは、
前記第１領域と少なくとも一部が異なる第２領域に画像を投写する第２投写手段と、
前記指示体の軌跡に応じて線を描画する際の当該線の属性である第２属性を記憶する第２記憶手段と、
前記第１記憶手段に記憶されている前記第１属性を取得する取得手段と、
前記第２領域における前記指示体の軌跡に応じた線であって、前記第１属性または前記第２属性で描画された線の画像を前記第２投写手段に投写させる第２制御手段と、
を有し、
時間的または空間的に連続し、かつ前記第１領域から前記第２領域にまたがった軌跡が前記指示体により描かれた場合、前記第２制御手段は、前記第２領域における前記指示体の軌跡に応じた線であって前記取得手段により取得された前記第１属性で描画された線の画像を前記第２投写手段に投写させる
画像表示システム。
【請求項２】
時間的または空間的に連続し、かつ前記第１領域から前記第２領域にまたがった軌跡が前記指示体により描かれた場合、前記第２制御手段は、前記第２投写手段によって投写する画像における線の属性をユーザーに選択させるための画像オブジェクトを前記第２投写手段に投写させ、
前記第２制御手段は、前記画像オブジェクトを介して選択された属性で描画された線の画像を前記第２投写手段に投写させる
ことを特徴とする請求項１に記載の画像表示システム。
【請求項３】
前記画像オブジェクトは、前記第２記憶手段に記憶されている属性を選択させるための選択肢を含む
ことを特徴とする請求項２に記載の画像表示システム。
【請求項４】
時間的または空間的に連続し、かつ前記第１領域から前記第２領域にまたがった軌跡が一の指示体により描かれた場合、前記第２制御手段は、前記第２領域における指示体の軌跡に応じた線であって前記第２属性で描画された線、および当該線の属性を前記第１属性に変更するための画像オブジェクトを含む画像を前記第２投写手段に投写させ、
前記画像オブジェクトに前記線の属性を前記第１属性に変更する指示が入力された場合、前記第２制御手段は、前記第１属性に変更された線の画像を前記第２投写手段に投写させる
ことを特徴とする請求項１ないし３のいずれか一項に記載の画像表示システム。
【請求項５】
前記第２制御手段は、前記画像オブジェクトを表示してから所定の時間が経過すると、当該画像オブジェクトが消去された画像を前記第２投写手段に投写させる
ことを特徴とする請求項２ないし４のいずれか一項に記載の画像表示システム。
【請求項６】
前記取得手段により取得された属性で描画された線の画像が前記第２投写手段により投写された後で、前記軌跡とは不連続の別の軌跡が前記指示体により前記第２領域において描かれた場合、前記第２制御手段は、前記第２領域における当該指示体の軌跡に応じた線であって前記第２属性で描画された線の画像を前記第２投写手段に投写させる
ことを特徴とする請求項１ないし５のいずれか一項に記載の画像表示システム。
【請求項７】
第１プロジェクターおよび第２プロジェクターを有する画像表示システムにおける画像表示方法であって、
前記第１プロジェクターが、第１領域に画像を投写するステップと、
前記第１プロジェクターが、指示体の軌跡に応じて線を描画する際の当該線の属性である第１属性を第１記憶手段に記憶するステップと、
前記第１プロジェクターが、前記第１領域における指示体の軌跡に応じた線であって前記第１属性で描画された線の画像を投写するステップと、
前記第２プロジェクターが、前記第１領域と少なくとも一部が異なる第２領域に画像を投写するステップと、
前記第２プロジェクターが、前記指示体の軌跡に応じて線を描画する際の当該線の属性である第２属性を第２記憶手段に記憶するステップと、
前記第２プロジェクターが、前記第２領域における前記指示体の軌跡に応じた線であって前記第２記憶手段に記憶されている属性で描画された線の画像を投写するステップと、
前記第２プロジェクターが、前記第１記憶手段に記憶されている前記第１属性を取得するステップと、
時間的または空間的に連続し、かつ前記第１領域から前記第２領域にまたがった軌跡が前記指示体により描かれた場合、前記第２領域における前記指示体の軌跡に応じた線であって取得された前記第１属性で描画された線の画像を投写するステップと
を有する画像表示方法。
【手続補正２】
【補正対象書類名】明細書
【補正対象項目名】０００６
【補正方法】変更
【補正の内容】
【０００６】
本発明の画像表示システムは、第１プロジェクターと、第２プロジェクターとを有し、前記第１プロジェクターは、第１領域に画像を投写する第１投写手段と、指示体の軌跡に応じて線を描画する際の当該線の属性である第１属性を記憶する第１記憶手段と、前記第１領域における前記指示体の軌跡に応じた線であって前記第１属性で描画された線の画像を前記第１投写手段に投写させる第１制御手段とを有し、前記第２プロジェクターは、前記第１領域と少なくとも一部が異なる第２領域に画像を投写する第２投写手段と、前記指示体の軌跡に応じて線を描画する際の当該線の属性である第２属性を記憶する第２記憶手段と、前記第１記憶手段に記憶されている前記第１属性を取得する取得手段と、前記第２領域における前記指示体の軌跡に応じた線であって、前記第１属性または前記第２属性で描画された線の画像を前記第２投写手段に投写させる第２制御手段とを有し、時間的または空間的に連続し、かつ前記第１領域から前記第２領域にまたがった軌跡が前記指示体により描かれた場合、前記第２制御手段は、前記第２領域における前記指示体の軌跡に応じた線であって前記取得手段により取得された前記第１属性で描画された線の画像を前記第２投写手段に投写させる。これらの構成により、時間的または空間的に連続し、かつ第１プロジェクターが画像を投写する第１領域から第２プロジェクターが画像を投写する第２領域にまたがる線が描画された場合、第２プロジェクターに記憶されている第２属性ではなく、第１プロジェクターに記憶されている第１属性で線を描画するため、当該線の属性が途中で変化してしまい、ユーザーの意図に反する線が描画されてしまう可能性を低減することができる。
【手続補正３】
【補正対象書類名】明細書
【補正対象項目名】０００９
【補正方法】変更
【補正の内容】
【０００９】
時間的または空間的に連続し、かつ前記第１領域から前記第２領域にまたがった軌跡が一の指示体により描かれた場合、前記第２制御手段は、前記第２領域における指示体の軌跡に応じた線であって前記第２属性で描画された線、および当該線の属性を前記第１属性に変更するための画像オブジェクトを含む画像を前記第２投写手段に投写させ、前記画像オブジェクトに前記線の属性を前記第１属性に変更する指示が入力された場合、前記第２制御手段は、前記第１属性に変更された線の画像を前記第２投写手段に投写させてもよい。これにより、描画された線の属性がユーザーの意図に反していた場合、線の属性の変更が容易となる。
【手続補正４】
【補正対象書類名】明細書
【補正対象項目名】００１２
【補正方法】変更
【補正の内容】
【００１２】
また、本発明の画像表示方法は、第１プロジェクターおよび第２プロジェクターを有する画像表示システムにおける画像表示方法であって、前記第１プロジェクターが、第１領域に画像を投写するステップと、前記第１プロジェクターが、指示体の軌跡に応じて線を描画する際の当該線の属性である第１属性を第１記憶手段に記憶するステップと、前記第１プロジェクターが、前記第１領域における指示体の軌跡に応じた線であって前記第１属性で描画された線の画像を投写するステップと、前記第２プロジェクターが、前記第１領域と少なくとも一部が異なる第２領域に画像を投写するステップと、前記第２プロジェクターが、前記指示体の軌跡に応じて線を描画する際の当該線の属性である第２属性を第２記憶手段に記憶するステップと、前記第２プロジェクターが、前記第２領域における前記指示体の軌跡に応じた線であって前記第２記憶手段に記憶されている属性で描画された線の画像を投写するステップと、前記第２プロジェクターが、前記第１記憶手段に記憶されている前記第１属性を取得するステップと、時間的または空間的に連続し、かつ前記第１領域から前記第２領域にまたがった軌跡が前記指示体により描かれた場合、前記第２領域における前記指示体の軌跡に応じた線であって取得された前記第１属性で描画された線の画像を投写するステップとを有する。これらの構成により、時間的または空間的に連続し、かつ第１プロジェクターが画像を投写する第１領域から第２プロジェクターが画像を投写する第２領域にまたがる線が描画された場合、第２プロジェクターに記憶されている第２属性ではなく、第１プロジェクターに記憶されている第１属性で線を描画するため、当該線の属性が途中で変化してしまい、ユーザーの意図に反する線が描画されてしまう可能性を低減することができる。
【手続補正５】
【補正対象書類名】明細書
【補正対象項目名】００５２
【補正方法】変更
【補正の内容】
【００５２】
ステップＳ２０６において、ＣＰＵ２００は、第１プロジェクター１０から取得された描画情報を用いて、第１プロジェクター１０において最後に描画された画像オブジェクトと、第２プロジェクター２０における新たな画像オブジェクトとが連続しているか判断する。具体的には、ＣＰＵ２００は、第１プロジェクター１０から取得された描画情報（以下「第１描画情報」という）とステップＳ２０３において検知された描画情報（以下「第２描画情報」という）とを対比し、両者が所定の条件を満たしているか判断する。所定の条件とは、例えば、第１描画情報に係る指示体３０の座標と第２描画情報に係る指示体３０の座標との差がしきい値未満であり、かつ、これらの座標が検知された時刻の差がしきい値未満である、という条件である。ここで、座標の差のしきい値および時刻の差のしきい値は、それぞれ、画像オブジェクトが連続しているとみなせる程度に十分小さい距離および時間に相当する値である。